(57)【要約】【課題】  従来のバックミラーは、雨滴やごみ類が鏡に付着しやすく、また、清掃も面倒であった。【解決手段】  本件出願のバックミラーは、バックミラー本体と、前記本体に脱着可能な庇を備え、前記庇は本体へのセット時に本体の上部外周から前方に突出する形状としたもの、又は、庇は不使用時には本体内に収容又は本体外部に重ねることができ、使用時には本体内又は本体外部から引き出して又は取り外して本体の上部外周に前方に突出するようにセットできるようにしたものである。また、本体又は庇に掃除具を備え、前記掃除具は手動操作によって本体の鏡の表面に沿って移動させて鏡の表面を清掃可能としたり、更に、庇がバックミラー本体の鏡の表面を移動可能であり、庇に装備された掃除具が庇の前記移動によりその移動方向と同方向に移動して鏡の表面を清掃できるようにしたりすることもできる。【選択図】図４
2007283840.tif 000002
【特許請求の範囲】
【請求項１】
車両用のバックミラー本体と、バックミラー本体に脱着可能な庇を備え、前記庇はバックミラー本体へのセット時にバックミラー本体の上部外周から鏡面前方に突出する形状であることを特徴とする車両用バックミラー。
【請求項２】
車両用のバックミラー本体と、バックミラー本体に装備された庇を備え、前記庇は不使用時にはバックミラー本体内に収容又はバックミラー本体の外に重ねることができ、使用時にはバックミラー本体内又はバックミラー本体の外から引き出して又は取り外してバックミラー本体に装備でき、庇はバックミラー本体へのセット時にバックミラー本体の上部外周から鏡面前方に突出する形状であることを特徴とする車両用バックミラー。
【請求項３】
請求項１又は請求項２記載の車両用バックミラーにおいて、バックミラー本体又は庇に掃除具を備え、掃除具は手動操作又は自動でバックミラー本体の鏡面に沿って上下又は／及び左右に移動して鏡面を払拭可能であることを特徴とする車両用バックミラー。
【請求項４】
請求項３記載の車両用バックミラーにおいて、庇がバックミラー本体の鏡面の上下又は／及び左右に移動可能であり、庇に装備された掃除具が庇の前記上下又は／及び左右への移動に伴って庇の移動方向と同方向に移動して鏡面を払拭可能であることを特徴とする車両用バックミラー。
【請求項５】
請求項３記載の車両用バックミラーにおいて、庇がバックミラー本体の鏡面の上下又は／及び左右に移動可能であり、庇に装備された掃除具は静止時には鏡面の上方で庇の内側に収容され、庇を動かすと庇の下方に押し出されて鏡面を払拭でき、庇を元に戻すと押し出し前の位置に戻ることを特徴とする車両用バックミラー。
【発明の詳細な説明】
【技術分野】
【０００１】
本発明はトラック、バス、ごみ収集車、乗用車等の車両に装備される車両用バックミラーに関する。
【背景技術】
【０００２】
トラック、バス、ごみ収集車、乗用車等の車両には各種形状、構造のバックミラーが装備されている。
【発明の開示】
【発明が解決しようとする課題】
【０００３】
従来のバックミラーはいずれも鏡面が外に露出しているため鏡面に雨滴や雪が付着して見づらくなることがあり、そのまま走行すると運転しにくくなり危険であった。このため付着した雨滴や雪はドライバーや助手が拭き取らなければならないという面倒があった。
【課題を解決するための手段】
【０００４】
本発明は鏡面に雨滴、雪、塵芥等が付着しにくい車両用バックミラーと、雨滴、雪、塵芥等が付着してもそれらを拭き取り易い車両用バックミラーを提供するものである。
【０００５】
本件出願の車両用バックミラーは請求項１記載のように、車両用のバックミラー本体と、バックミラー本体に脱着可能な庇を備え、前記庇はバックミラー本体へのセット時にバックミラー本体の上部外周から鏡面前方に突出する形状としたものである。
【０００６】
本件出願の車両用バックミラーは、請求項２記載のように、車両用のバックミラー本体と、バックミラー本体に装備された庇を備え、前記庇は不使用時にはバックミラー本体内に収容又はバックミラー本体の外に重ねることができ、使用時にはバックミラー本体内又はバックミラー本体の外から引き出して又は取り外してバックミラー本体に装備でき、庇はバックミラー本体へのセット時にバックミラー本体の上部外周から鏡面前方に突出する形状にした。
【０００７】
本件出願の車両用バックミラーは、請求項３記載のように、請求項１又は請求項２記載の車両用バックミラーにおいて、バックミラー本体又は庇に掃除具を備え、掃除具は手動操作によって又は自動でバックミラー本体の鏡面に沿って上下又は／及び左右に移動して鏡面を清掃可能とした。
【０００８】
本件出願の車両用バックミラーは、請求項４記載のように、請求項３記載の車両用バックミラーにおいて、庇がバックミラー本体の鏡面の上下又は／及び左右に移動可能であり、庇に装備された掃除具が庇の前記上下又は／及び左右への移動に伴って庇の移動方向と同方向に移動して鏡面を払拭可能とすることもできる。
【０００９】
本件出願の車両用バックミラーは、請求項５記載のように、請求項３記載の車両用バックミラーにおいて、庇に装備された掃除具は静止時には鏡面の上方で庇の内側に収容され、庇を動かすと庇の下方に押し出されて鏡面を払拭し、庇を元に戻すと押し出し前の位置に戻るようにした。
【発明の効果】
【００１０】
本件出願の請求項１記載の車両用バックミラーは次のような効果がある。
（１）バックミラー本体に、バックミラー本体へのセット時にバックミラー本体の上部外周から鏡面前方に突出する形状の庇を設けたので、バックミラー本体に庇をセットすれば、鏡面に塵芥や雨滴が付着しにくくなり、鏡面に映る像が見易くなる。
（２）庇がバックミラー本体に脱着可能であるため、雨の降らない日はバックミラー本体から取外しておき、使用時にだけバックミラー本体にセットすることができる。また、取外したときは庇が邪魔になることがない。
【００１１】
本件出願の請求項２記載の車両用バックミラーは次のような効果がある。
（１）不使用時には庇をバックミラー本体内に収容又はバックミラー本体の外に重ねることができるようにしたため、不使用時に庇が邪魔になることがない。
（２）使用時には庇をバックミラー本体内又はバックミラー本体の外から引き出して又は取り外してバックミラー本体にセットできるため、必要な時に迅速に庇をセットすることができる。また、使用時のセットが容易である。
（３）庇を、バックミラー本体へのセット時にバックミラー本体の上部外周から鏡面前方に突出する形状にしたため、鏡面に塵芥や雨滴が付着しにくくなり、鏡面に映る像が見易くなる。
【００１２】
本件出願の請求項３記載の車両用バックミラーは上記の各種効果に加えて次のような効果もある。
（１）バックミラー本体又は庇に掃除具を備えるため、ドライバー等が一々布等を使って拭き取る必要もなく、容易に鏡面に付着した塵芥や雨滴を清掃することができる。
（２）掃除具がバックミラー本体の鏡面に沿って上下又は／及び左右に移動可能であるため、鏡面全面を手軽に清掃することができる。
（３）掃除具を手動操作によってバックミラー本体の鏡面に沿って上下又は／及び左右に移動させて鏡面を清掃できるようにした場合は、掃除具の移動機構を簡潔な構成で安価なものとすることができる。
【００１３】
本件出願の請求項４記載の車両用バックミラーは、庇を鏡面の上下又は／及び左右に移動可能とし、その移動に伴って庇に装備した掃除具が同方向に移動するようにしたので、庇を移動させることにより鏡面全般を掃除することができる、という効果もある。
【００１４】
本件出願の請求項５記載の車両用バックミラーは、庇に装備された掃除具が静止時には鏡面の上方で庇の内側に収容され、庇を移動させると庇の下方に押し出されて鏡面を払拭でき、庇を元に戻すと押し出し前の位置に戻るようにしたので、庇の僅かな動きで掃除具が庇の動きよりも広範囲を移動し鏡面全般を払拭できるという効果もある。
【発明を実施するための最良の形態】
【００１５】
（実施形態１）
本発明のバックミラーの第１の実施形態を図１〜図５に基づいて説明する。これら図に示すバックミラー１はトラック、ごみ収集車等の作業用車両に装備されるバックミラーであり、バックミラー１の背面側の樹脂製のケース２の前面に鏡３を設けたバックミラー本体（以下「本体」と記す。）４と、本体４に装備された庇５を備え、庇５の内側に掃除具６を設けたものである。
【００１６】
前記本体４は樹脂製であり、既存の各種バックミラーの本体と同様に内部に空間７が形状され、ケース２は上部（蓋）８と下部９に分割し、上部８を図２のように下部９に開閉可能に連結し、蓋８の上面に庇５を出し入れ可能な開口部１０が形成されている。ケース２の内面には補強用リブ（図示しない）が一体成型されている。
【００１７】
前記庇５は図１〜図３に示すように前記開口部１０から本体４のケース２の空間７内に収容されている。庇５は図２に示すようにケース２の空間７内に収容される形状及びサイズであり、基板１１の左右両縁から側周壁１２が、上縁から上周壁１３が前方に突設して一体成型されている。庇５には伸縮バー１４を取り付けてある。伸縮バー１４はケース２の下部９内に縦向きに固定されたレール１５にバー１４を上下にスライド自在としてあり、バー１４の上端を庇５の側周壁１２の内面に回動自在に取り付けてあり、この構造とすることにより、庇５の不使用時には図１のように伸縮バー１４を縮ませて庇５を本体４内に収容し、使用時には図３、図５（ａ）のように伸縮バー１４を伸ばして庇５をケース２から引き出し、更に図４、図５（ｂ）のように前方に回動させて鏡の前面上方に被せる（セットする）ことができるようにしてある。このようにセットした庇５は図４、図５（ｂ、ｃ）に示すようにその先端側を押し下げることができるようにしてある。
【００１８】
前記掃除具６は図３に示すように回転ロール１６が支持具１７で庇５の上周壁１３に取り付けられている。回転ロール１６は図５（ａ〜ｃ）に示すように、筒状の芯１８の外周にスポンジ、ゴム、樹脂、不織布等の払拭材１９を設けてある。払拭材１９には清掃用の薬液をしみ込ませておくこともできる。支持具１７には細い金属線が使用されており、その二本平行な上部２０が庇５の上周壁１３の外から内側に差し込まれ、左右に裾広がりになっている下部２１の両端部が回転ロール１６の芯１８の両端に差し込まれて回転自在に支持されている。この回転ロール１６は図３に示すように支持具１７と庇５の基板１１の間に架設された二本の引っ張りバネ２２により基板１１側に引かれて、図３、図５（ａ）のように庇５が上向きのときは庇５の側周壁１２の下端部内側に収容されているが、庇５が図４、図５（ｂ）のように前方に倒されると鏡３の前に押し出され、庇５が図５（ｃ）のように下向きに押されると図４に仮想線で示すように鏡面上を回転しながら降下して鏡面全体を払拭し、庇５を図３、図５（ａ）に示すように上向きに戻すと引っ張りバネ２２で引かれて夫々の図の元の位置に戻るようにしてある。なお、庇５が図４、図５（ｂ）のように前方に倒されて鏡３の前に押し出されると支持具１７のハンドル部２３が上周壁１３の前方に突出する。この上周壁１３を押すと回転ロール１６が鏡面上を回転しながら降下して鏡面全体を払拭し易くなる。
【００１９】
前記掃除具６は図５（ａ）に示すように庇５の側周壁１２の下端部内側に収容された状態で庇５と共に本体４のケース２の空間７内に収容され、庇５と共に図５（ａ）に示すようにケース２の外側まで引き出される。
【００２０】
（使用例１）
前記実施形態の掃除具６でバックミラーの鏡面を払拭するには次のようにする。
（１）図１のように閉じているケース２の上部（蓋）８を図２のように開き、図３、図５（ａ）のように本体４のケース２内に収容されている庇５をケース２の上まで引き出し、その後に蓋８を閉じる。
（２）庇５を前方に回動させて倒し（セットし）、図４、図５（ｂ）のように回転ロール１６を鏡面の上部前方に押し出す。
（３）図５（ｃ）のように庇５を手で押すと回転ロール１６が鏡面に接触して回転しながら降下し、鏡面に付着している雨滴や雪が払拭される。このとき、引っ張りバネ２２は伸びる。
（４）前記払拭後に庇５を上方に回動させて図３、図５（ａ）のように本体４のケース２の上に立てると、回転ロール１６が同図の位置に戻る。このとき、回転ロール１６は先に伸びた引っ張りバネ２２の戻り力によって庇５の内側に引き戻される。
（５）前記（４）の状態で蓋８を開き、庇５を押し下げて回転ロール１６と共にケース２の空間７内に押し込んで収容し、蓋８を閉じる。
【００２１】
（実施形態２）
本発明のバックミラー１の第２の実施形態を図６、図７に基づいて説明する。これら図のバックミラー１もケース２の前面に鏡３を設けた本体４と、本体４に装備された庇５と、庇５の内側に掃除具６を備えていることにおいて実施形態１と共通し、異なるのは庇５を不使用時に本体４のケース２の背面上部に被せておき、使用時にはその庇５を引き上げて図７のように本体４の上方から前方に突出させてセットできるようにしたことである。このため本体４のケース２の両側面に図７に示すようにガイド溝２５が形成され、そのガイド溝２５に庇５のスライド軸２４を移動可能に嵌入して、その移動により庇５を昇降できるようにしてある。スライド軸２４は蝶ネジとか他のネジ等の固定具によりガイド溝２５の所望位置に固定できるようにしてある。
【００２２】
図６の庇５も基板１１の両側縁の側周壁１２と上縁の上周壁１３が基板１１の前方に突出するように一連に成型されて、ケース２の背面に被さる形状及びサイズにしてある。
【００２３】
図６の掃除具６は実施形態１の掃除具６と同様にロール状の芯１８の外周に払拭材１９が設けられ、その回転ロール１６の芯孔１８ａの両端に金属線材製の支持具１７の両端が差し込まれて回転自在としてあり、更に、図示されていない引っ張りバネで支持具１７のハンドル部２３側に引かれている。
【００２４】
（使用例２）
前記実施形態２の掃除具６でバックミラー１の鏡面を払拭するには次のようにする。
（１）図１のスライド軸２４を緩めてから本体４の背面上部に被せてある庇５をガイド溝２５に沿ってケース２の上まで引き上げる。
（２）前記のように引き上げた庇５を図７のように前方に倒して上周壁１３、側周壁１２が鏡面の前方に突出するようにセットする。このとき回転ロール１６が鏡面の上部前方にセットされる。
（３）庇５を手で押し下げると回転ロール１６が鏡面に接触して回転しながら降下し、鏡面に付着している雨滴や雪が払拭される。このとき、引っ張りバネ２２は伸びる。
（４）前記払拭後に庇５を手動で上方に戻すと回転ロール１６が元の位置に戻る。このとき回転ロール１６は先に伸びた引っ張りバネ２２の戻り力によっても元の位置に引き戻される。
（５）庇５のスライド軸２４をガイド溝２５に沿って押し下げて庇５をケース２の背面上部に被せ、スライド軸２４を締付けて固定する。
【００２５】
（実施形態３）
本発明のバックミラーの第３の実施形態を図８〜図１０に基づいて説明する。このバックミラー１は庇５を不使用時には本体４から取外しておき使用時に本体４にセットするようにしたものであり、庇５の内側に掃除具６が設けられている。
【００２６】
図８に示すように、本体４の上面から上方に二枚の支持片２６が間隔をあけて平行に突設されている。庇５は上板２７の外周前縁に前部庇２８が、外周両側縁に側方庇２９が形成され、左右の側方庇２９の後方に連結片３０が平行に突設されている。二枚の支持片２６、二枚の連結片３０の夫々の前方側に連結孔３１が、後方には係止孔３２が開口されている。二枚の支持片２６と二枚の連結片３０は、夫々の連結孔３１において、蝶ナット等の固定具３３で締付け固定できる。また、係止孔３２には、係止バー３４を差し込めるようにしてある。また、庇５の内側には回転ロール１６が回転自在に設けられている。回転ロール１６は前部庇２８の外側から内側に差し込んだ金属製の線状の支持具１７の裾広がりの下部２１の先端を回転ロール１６の両端の芯孔１８ａに差し込んで回転自在に支持してある。また、支持具１７には引っ張りバネ２２の一端が連結され、引っ張りバネ２２の他端が庇５の上板２７に連結されて、回転ロール１６が庇５の内側上部鏡面側に引かれるようにしてある。
【００２７】
（使用例３）
図８〜図１０に示す庇５は次のようにして使用する。
（１）不使用時には庇５は本体４から取外されている（図８参照。）。
（２）使用時には本体の二枚の支持片２６の外側に二枚の連結片３０を配置し、二枚の支持片２６の連結孔３１に差し込んだ蝶ナット等の固定具３３で連結片３０を支持片２６に締付けて固定し、庇５を鏡面の上部前方に突出させる。また、二枚の支持片２６の係止孔３２と二枚の連結片３０の係止孔３２に係止バー３４を差し込んで庇５が前下がりになるのを防止する。（図９参照。）。
（３）鏡面を回転ロール１６で払拭するには、前記係止バー３４を抜いてから、前記固定具３３の締め付けを緩め、その後に庇５の先端側を手で押し下げる（図１０参照。）。このとき、回転ロール１６を支持する支持具１７のハンドル部２３を庇５の内側に押して回転ロール１６を鏡面の下方に押し下げて、鏡面の雪や雨滴を払拭する。
（４）払拭が終わったら庇５を上方に戻す。このとき、前記支持具１７の押しを解除すると前記引っ張りバネ２２で回転ロール１６が庇５の内側上部鏡面側に引き戻される。
【００２８】
（実施形態４）
本発明のバックミラーの第４の実施形態を、図１１（ａ）（ｂ）に基づいて説明する。このバックミラー１は本体４のケース２の上縁部に上部庇３５を引き出し差込み自在に設け、両側縁に側方庇３６を引き出し差込み自在に設けたものであり、ケース２の上縁部と両側縁にそれら庇を引き出し差込み可能なスリット３７が形成されている。ケース２の上縁部と両側縁にはケース２内に収容した上部庇３５、側方庇３６を係止するためのピン３８が引き出し押し込み可能に取り付けられている。
【００２９】
上部庇３５及び側方庇３６は図１１（ａ）に示すように、前記本体４のスリット３７から前端部が突出して本体４内に収容されるようにしてある。ケース２の上面や側面が湾曲している場合は上部庇３５、側方庇３６がケース２内に収容されたときにケース２の湾曲に添って湾曲できる可撓性のある部材で形成されることが望ましい。上部庇３５及び側方庇３６には図１１（ｂ）に示すように本体４のピン３８を挿通可能な孔３９が開口されており、前記ピン３８を夫々の孔３９に挿通させると、ケース２に押し込まれて収容された上部庇３５及び側方庇３６が係止固定され、夫々のピン３８を抜くとケース２内に収容されている上部庇３５及び側方庇３６が、カバー内のバネ（図示しない）で前方へ押し出されて所定の突出位置に停止するようにしてある。
【００３０】
（使用例４）
図１１（ａ）（ｂ）に示す庇５は次のようにして使用することができる。
（１）不使用時には上部庇３５及び側方庇３６をケース２の内側に押し込んでそれらの前端部だけをケース２のスリット３７から前方に突出させておく。このとき、上部庇３５及び側方庇３６をピン３８によって係止しておく（図１１ａ参照。）。
（２）使用時には夫々のピン３８を引いて係止を解除する。これにより上部庇３５及び側方庇３６がケース２内のバネでケース２のスリット３７からその前方に押し出されて鏡面の前方に突出してセットされる。（図１１ｂ参照。）。
【００３１】
（実施形態５）
本発明のバックミラーの第５の実施形態を、図１２に基づいて説明する。このバックミラー１は、図１２に示すように、上部庇３５及び左右の側方庇３６を一体成型してなる庇５を、不使用時には本体４内に収容し、使用時には本体４内から引き出して本体４の上部にセットできるものである。また、掃除具６が、庇５とは別個に設けられ、不使用時でも鏡３の表面に備えられているものである。この掃除具６は、庇５を動かすことなく、回転ロール１６を手動で上下に動かして鏡面を払拭可能としてある。
【００３２】
本体４は、図１２に示すように、基本的には前記各実施形態記載の本体４と形状、構造は共通する。本体４は、同図に示すように、前面の上部に、庇５を収容及び引き出すためのスリット４０が開口されている。スリット４０は、図１２に示すように、庇５の形状に合わせて、両端部が下方に曲げられた形状に開口されている。本体４の前面の側縁部分には、前記掃除具６を上下動させるためのギアレール４１が取り付けられている。また、本体４の側面には、掃除具６の上下動をガイドするためのガイド溝４２が形成されている。
【００３３】
庇５は、図１２に示すように、上部庇３５及び左右の側方庇３６を一体成型してなるものであって、不使用時にはスリット４０から前端部を突出させて本体４内に収容されるようにしてある。庇５は、使用時には手で直接引き出し及び収容できるようにしてある。
【００３４】
掃除具６は、図１２に示すように、不使用時にも鏡面上部に取り付けられており、本体４前面に備えられたカバー体４３内に回転ロール１６が備えられる構成としてあるものである。前記カバー体４３は、本体４両側面に取り付けられる二枚の側板部４４と、両側板部４４の上部間を連結する前板部４５を備える。カバー体４３の側板部４４の内側には、本体４のギアレール４１と咬合するガイドギア４６と、回転ロール１６の両端に取り付けられ、前記ガイドギア４６と咬合して回転ロール１６を回転させるロールギア４７が取り付けられている。また、カバー体４３は、引っ張りバネ４８によって本体４の上方に向けて付勢されている。また、カバー体４３の側板部４４の内側には、突起部（図示しない）が形成され、その突起部は本体４側面のガイド溝４２内に入れられて、カバー体４３をガイド溝４２に沿って上下動させられるようにしてある。回転ロール１６は、鏡面に接するように、カバー体４３内に備えられている。
【００３５】
従って、カバー体４３の前板部４５を手で直接押し下げると、カバー体４３に取り付けられたガイドギア４６が、カバー体４３の押し下げに伴って図１２中矢印Ｘ方向に回転する。ガイドギア４６が回転すると、それに伴って、ガイドギア４６と咬合するロールギア４７が図１２中矢印Ｙ方向に回転し、それと同時に回転ロール１６を矢印Ｙ方向へ回転させる。矢印Ｙ方向に回転する回転ロール１６によって、鏡面を上から下に向けて払拭することができる。
【００３６】
カバー体４３の前板部４５の押し下げを解除すると、引っ張りバネ４８のバネ力によってカバー体４３が上方へ戻る。カバー体４３の戻りに伴って、ガイドギア４６及びロールギア４７が、押し下げ時と逆方向に回転し、回転ロール１６も逆回転する。そのため、回転ロール１６は鏡面を下から上に向けて払拭する。
【００３７】
（使用例５）
前記図１２に示すバックミラーを用いて、庇５を本体４の上部にセットし、鏡面を清掃するには、次のようにする。
（１）不使用時には、庇５は、本体４のスリット４０から前端部を外側に出して本体４内に収容されている。また、掃除具６は、鏡面上部に取り付けられている（図１２参照。）。
（２）庇４の前端部を手で直接把持し、前方へ引き出して、本体４の上部にセットする。
（３）カバー体４３の前板部４５を手で直接押し下げると、カバー体４３に取り付けられたガイドギア４６が、カバー体４３の押し下げに伴って図１２中矢印Ｘ方向に回転する。ガイドギア４６が回転すると、それに伴って、ガイドギア４６と咬合するロールギア４７が図１２中矢印Ｙ方向に回転し、それと同時に回転ロール１６を矢印Ｙ方向へ回転させる。矢印Ｙ方向に回転する回転ロール１６によって、鏡面を上から下に向けて払拭することができる。
（４）カバー体４３の前板部４５の押し下げを解除すると、バネ力によってカバー体４３が上方へ戻る。カバー体４３の戻りに伴って、ガイドギア４６及びロールギア４７が、押し下げ時と逆方向に回転し、回転ロール１６も逆回転する。そのため、回転ロール１６は鏡面を下から上に向けて払拭する。
【００３８】
（その他の実施形態）
前記各実施形態では、鏡面を清掃する掃除具には、回転しながら鏡面を払拭するロールが用いられているが、ロールの周囲にはワイパーを備えることもできる。この場合、鏡の表面に、雪や大きなごみ等が付着した場合であっても、ワイパーによって雪や大きなごみ等を大まかに掻き落とすことができ、ロールがそれらを巻き込むことがなくなる。また、掃除具として、ロールに代えてワイパーやブラシ等、他の任意の掃除具を用いることもできる。
【００３９】
掃除具を動作させるための機構は、前記各実施形態に記載のものには限られず、任意の機構とすることができる。従って、例えば、本体にハンドルやワイヤーを備えておき、外部からそのハンドルやワイパーを引くと、ロールが鏡の表面を上下に移動して鏡の表面が清掃されるようにすることもできる。
【００４０】
掃除具は、前記各実施形態記載のように、上下に動くものには限られず、左右や、上下左右に動くものとすることもできる。また、掃除具は、前記ロールやワイパーには限られず、任意とすることができる。
【００４１】
本発明のバックミラーにおいては、掃除具又は庇を省略することも可能である。
【００４２】
前記各実施形態記載の本体、庇、掃除具等の形状、構造、大きさ、素材等はあくまで一例であって、発明の内容がこれに限定されるものではない。
【産業上の利用可能性】
【００４３】
本発明のバックミラーは、トラック、バス、ごみ収集車等の大型車両には限られず、乗用車、オートバイ等、広くバックミラーを装備する車両全般に応用することもできる。
【図面の簡単な説明】
【００４４】
【図１】本発明のバックミラーの第１の実施形態であって、不使用時の様子を示す斜視図。
【図２】図１に示すバックミラーの本体の蓋部を開いた様子を示す斜視図。
【図３】図１に示すバックミラーの庇を引き出した様子を示す斜視図。
【図４】図１に示すバックミラーの使用時の様子を示す斜視図。
【図５】（ａ）〜（ｃ）は、図４に示すバックミラーの掃除具の動作を示す側面説明図。（ａ）は庇を本体から引き出した様子、（ｂ）は庇を押し下げる前の様子、（ｃ）は庇を押し下げた時の様子を夫々示す。
【図６】本発明のバックミラーの第２の実施形態であって、不使用時の様子を示す斜視図。
【図７】図６に示すバックミラーの使用時の様子を示す斜視図。
【図８】本発明のバックミラーの第３の実施形態であって、不使用時の様子を示す斜視図。
【図９】図８に示すバックミラーの使用時の様子を示す斜視図。
【図１０】図８に示すバックミラーの掃除具を動作させた様子を示す斜視図。
【図１１】（ａ）（ｂ）は、本発明のバックミラーの第４の実施形態を示す斜視図。（ａ）は不使用時の様子、（ｂ）は使用時の様子をそれぞれ示す。
【図１２】本発明のバックミラーの第５の実施形態を示す斜視図。
【符号の説明】
【００４５】
１  バックミラー
２  ケース
３  鏡
４  本体
５  庇
６  掃除具
１６  回転ロール
【図１】
2007283840.tif 000003
【図２】
2007283840.tif 000004
【図３】
2007283840.tif 000005
【図４】
2007283840.tif 000006
【図５】
2007283840.tif 000007
【図６】
2007283840.tif 000008
【図７】
2007283840.tif 000009
【図８】
2007283840.tif 000010
【図９】
2007283840.tif 000011
【図１０】
2007283840.tif 000012
【図１１】
2007283840.tif 000013
【図１２】
2007283840.tif 000014